(57)【特許請求の範囲】
【請求項１】
原木を炭化して白炭を得る際に残る灰を水に加えて得られる炭灰水と、白炭を水中で加熱することにより得られる炭ミネラル抽出液とからなる、洗浄剤。
【請求項２】
木酢液をさらに含有することを特徴とする、請求項１に記載の洗浄剤。
【発明の詳細な説明】
【０００１】
【発明の属する技術分野】
本発明は、従来の石鹸や合成洗剤に代えて衣類の洗濯や食器洗い等に使用することのできる安全性の高い洗浄剤に関するものである。
【０００２】
【従来の技術と発明が解決しようとする課題】
衣類の洗濯や食器洗いには、現在合成洗剤が最も多く用いられているが、これら合成洗剤の使用は河川や湖沼の汚染の原因となっており、近年の環境保全への意識の高まりにつれて、この問題の解決が強く望まれるようになってきている。また、合成洗剤は、例えば、衣服に残存してアトピー性皮膚炎等の原因になる等、使用者の健康に直接悪影響を与えるおそれがあり、この点でも使用が懸念されている。
【０００３】
一方、石鹸は合成洗剤に比べて分解されやすい性質を有するが、一般的には合成洗剤に比べて洗浄力が弱いという欠点を有する。また、この弱い洗浄力を補うために脂肪酸等が添加されていることが多く、その結果、合成洗剤以上に環境に負担をかける場合もある。
【０００４】
そこで、従来の合成洗剤や石鹸のこれらの問題点を解決した、環境への負担がより小さく、かつ人体等への安全性がより高い洗浄剤が模索されている。
【０００５】
本発明は上記に鑑みてなされたものであり、洗浄効果が良好で、かつ実質的に自然環境や人体等への悪影響のない洗浄剤を提供することを目的とする。
【０００６】
【課題を解決するための手段】
上記の課題を解決するために、請求項１の洗浄剤は、原木を炭化して白炭を得る際に残る灰を水に加えて得られる炭灰水と、白炭を水中で加熱することにより得られる炭ミネラル抽出液とからなるものとする。
【０００７】
上記洗浄液には、木酢液をさらに含有させることが好ましい。
【０００８】
【発明の実施の形態】
本発明で使用する炭灰水とは、ウバメガシ等の原木を炭窯で１０００℃以上の高温で炭化して備長炭等の白炭を得る後に残る灰を、水に加えて、好ましくは加熱することにより得られるものであり、好ましくはｐＨが約１１〜１３になるように調整したものである。加熱条件としては、温度が４０〜４５℃程度であれば、約１時間加熱すればよい。
【０００９】
炭ミネラル抽出液とは、上記備長炭のような白炭を水中で加熱することにより得られるものであり、好ましくはｐＨが約８〜９になるように調整したものである。加熱条件としては、約８０℃以上に加熱し、途中で炭を数回取り換えるのが好ましい。
【００１０】
上記炭灰水及び炭ミネラル抽出液は、濾過により、固形物、浮遊物等を除去して使用する。
【００１１】
さらに、木酢液は白炭の製造の際に発生する煙を冷却して得られるものであり、従来からの製法により製造されたものを使用できるが、十分精製されていることが好ましい。製造方法及び精製方法の好ましい例を以下に挙げる。
【００１２】
まず、原木を１０００℃以上で加熱して白炭を製造する際に発生する温度約８０〜１５０℃の煙（きわだ煙）を採取し、冷却、液化させて容器に入れて数ヶ月間静置し、タール等の沈殿物を除去して木酢液原液とする。この木酢液原液には、窯の性質、天候、煙の集め方等に起因する成分のバラツキがあるので、異なる原液を混合して色調を標準試料に合わせて調整する。この調整原液に活性炭及び備長炭粒を攪拌しながら加えて、時々攪拌しながら数日間程度置き、その後濾過により活性炭及び備長炭粒を除去する。この原液に水を加えてｐＨを約２．５〜３．５に調整したのち、さらに２〜３回濾過を繰り返すことにより、精製木酢液が得られる。
【００１３】
本発明の洗浄剤は、上記炭灰水と炭ミネラル抽出液とを配合し、好ましくは、さらに木酢液を配合し、混合して得られるものである。炭灰水と炭ミネラル抽出液とを配合する場合は、ｐＨが約９〜１１の範囲（重量比で５０：５０〜７０：３０程度）になるように調整すればよく、さらに木酢液を配合する場合は、好ましくはｐＨが約５以下、より好ましくは約３．５〜４．０の範囲内（全体に対する重量％で２０〜４０％程度）になるように調整する。
【００１４】
本発明においては、木酢液を一定量添加することにより、洗濯物の風合いを向上させる顕著な効果が認められる。木酢液は、水のクラスターを小さくする効果を有することが知られており、水や有効成分の繊維への浸透力を向上させるものと考えられる。従って、洗浄力の向上も期待でき、また液性が強酸性に近付けば殺菌力も期待できる。
【００１５】
上記により得られる本発明の洗浄液は、洗濯用に使用する場合は、石鹸や合成洗剤の代わりにそのまま洗濯機に投入して使用すればよい。また、台所や食器等の汚れ落としに使用する場合は、適宜希釈して使用すればよい。
【００１６】
【実施例】
以下、本発明の洗浄剤を、実施例によりさらに具体的に説明するが、本発明はこれに限定されるものではない。
【００１７】
１．洗浄剤の調製
本発明の洗浄剤を以下の通り調製した。
【００１８】
原木（ウバメガシ）を炭窯で約１３００℃で炭化し、白炭（備長炭）を得た際に残った灰を、水１リットルに対し１０重量％の割合で加えて、約４０〜４５℃で１時間加熱し、濾紙で濾過することにより炭灰水を得た。この炭灰水はｐＨ１２．１であり、主なミネラル含有量は以下のとおりであった。
【００１９】
カリウム    １７４４．７８
カルシウム        ５．４５
マグネシウム      １．７２
【００２０】
別に、水３０リットルに、上記により得られた備長炭５ｋｇを入れて、約８０℃以上で１０分間加熱し、炭を交換してこの操作を３回繰り返し、濾紙で濾過することにより、炭ミネラル抽出液を得た。この炭ミネラル抽出液はｐＨ８．７であり、主なミネラル含有量は以下のとおりであった。
【００２１】
カリウム      ５８５．５１
カルシウム        ９．８２
マグネシウム      ３．２５
【００２２】
さらに、木酢液は、以下の方法により製造及び精製した。原木を約１３００℃で炭化して白炭を製造し、その際に発生した温度約８０〜１５０℃の煙を冷却して採取し、容器に入れて６ヶ月間静置し、沈殿物を除去して木酢液原液を得た。色調を標準試料に合わせて調整後、この原液３００リットルに対し、１７ｇ及び備長炭粒４ｋｇを攪拌しながら加えて、途中２回攪拌しながら３６時間置いた。その後、濾紙を用いた濾過により活性炭及び備長炭粒を除去した。この原液に水を加えてｐＨを２．８に調整したのち、濾紙を用いた濾過をさらに３回繰り返すことにより、精製木酢液を得た。
【００２３】
実施例１として、上記により得られた炭灰水、炭ミネラル抽出水、及び木酢液を、重量比で４０：３０：３０の割合で配合して攪拌し、本発明の洗浄液（ｐＨ３．７）を得た。
【００２４】
実施例２として、上記により得られた炭灰水及び炭ミネラル抽出水を、重量比で６０：４０の割合で配合して攪拌し、本発明の洗浄液（ｐＨ１０．５）を得た。
【００２５】
２．試験方法及び結果
（１）洗濯試験
１０ｃｍ×１０ｃｍの白綿布に５種の汚れ成分（墨汁、ソース、カレー、ケチャップ、ポスターカラー）をそれぞれ付着させた試料を２枚ずつ作成し、２４時間放置後、各１枚を洗濯した。その際、上記により得られた実施例１及び２の洗浄剤を、それぞれ水４０リットルに対して１６ｍｌ使用した。なお、洗濯は、ＪＩＳ−Ｌ−０２１７  １０３法に準拠して１回行い、洗濯後は自然乾燥させた。
【００２６】
汚れ成分ごとに２枚の試料（オリジナルと洗濯処理後）を並べて置き、汚れの脱落程度を次の基準に基づき判断した。結果を表１に示す。
【００２７】
５級：完全に脱落する
４級：かなり脱落する
３級：ある程度脱落する
２級：わずかに脱落する
１級：脱落しない
【００２８】
また、比較例として、上記で得られた炭灰水を水４０リットルに対して１６ｍｌ、参考例として、市販の合成洗剤をメーカーの指示量使用して、同じ方法でそれぞれ試験を行った。結果を表１に併記する。
【００２９】
（２）風合い試験
上記実施例１及び２の洗浄液、比較例の炭灰水、参考例の合成洗剤をそれぞれ用い、上記と同じ方法で木綿１００％のタオルを洗濯し、自然乾燥後、５人のパネラーに以下の基準で風合いを評価させ、その平均値を求めた。
【００３０】
５：きわめて良い
４：かなり良い
３：普通
２：やや悪い
１：悪い
【００３１】
【表１】
0003680825.tif 000002
【００３２】
表１に示されたように、上記実施例１，２の洗浄剤は、全般的に合成洗剤と同程度の洗浄力を示した。また、実施例１のものによれば、洗濯物の洗い上がりの風合いが極めて優れたものとなることが確認された。これに対し、比較例のものは洗浄力は優れていたが、洗濯物の洗い上がりの風合いにおいて問題があった。
【００３３】
（３）食器洗い洗剤としての洗浄力試験
上記実施例１，２で得られた洗浄剤を１０倍に希釈して、スポンジに含ませ、食用油を付着させた陶製の皿を５秒間洗い、常温の水で１０秒間すすいだ。皿の表面状態を目視で観察したところ、食用油の残存は認められなかった。
【００３４】
【発明の効果】
本発明の洗浄剤は、自然環境や健康へ悪影響を及ぼす成分を実質的に含まず、しかも合成洗剤と同程度の優れた洗浄力を有するものである。従って、従来の合成洗剤や石鹸に代えて、洗濯用や食器洗い用の洗浄剤として安心して使用することができる。
【００３５】
また、請求項２のものによれば、洗濯用として使用した場合に、洗い上がりの洗濯物の風合いが極めて良好なものとなる。